Podtech/llm-jp-corpus-v4-ja_patent huggingface dataset:
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
バイオリアクタにおいての試料を製造するために使用されるプロセスのアウトカムを予測するための方法であって、前記プロセスはカテゴリに属し、前記方法は、
プロセスモデルを、前記カテゴリに基づいて選択するステップ(51)と、
前記試料を製造するための過去のプロセスランに関係付けられる来歴的に重要なデータにアクセスするステップ(53)と、
前記プロセスの現在のプロセスランから取得される(54)現在のデータにアクセスするステップ(53)であって、前記選択されるプロセスモデルに基づく、前記取得される現在のデータは、プロセス戦略データ、バイオリアクタ機器データ、オンラインセンサからのデータ、および/または、オフラインセンサからのデータを含む、アクセスするステップ(53)と、
前記試料を製造するための前記現在のプロセスランの、少なくとも1つの選択されるパラメータのアウトカムを、前記アクセスされる来歴的に重要なデータおよび現在のデータに基づいて予測するステップ(62)と
を含む、方法。
【請求項２】
前記方法は、データベースにおいて、来歴的に重要なデータ、現在のデータ、および、前記プロセスモデルに関係付けられるデータを整理統合するステップ(52)をさらに含む、請求項1に記載の方法。
【請求項３】
現在のデータを取得するステップは、
パラメータを、使用されるベースモデルに基づいて選択するステップ(54a)と、
選択されるパラメータのデータを読み出すステップ(54b)と
をさらに含む、請求項1または2に記載の方法。
【請求項４】
前記方法は、前記現在のプロセスランから取得される前記現在のデータにおいての欠損データの対処するステップ(55)をさらに含む、請求項1から3のいずれか一項に記載の方法。
【請求項５】
欠損データの対処するステップは、
欠損データ値を、インピュテーションされる値によって置換するステップ(55a)、または、
欠損データ値を伴うデータを除去するステップ(55b)
をさらに含む、請求項4に記載の方法。
【請求項６】
前記方法は、前記プロセスモデルを、前記現在のデータに基づいてリアルタイムで適応させるステップ(61)をさらに含む、請求項1から5のいずれか一項に記載の方法。
【請求項７】
前記プロセスモデルを適応させる前記ステップは、前記プロセスモデルを、前記現在のプロセスランからのデータに基づいて更新するステップをさらに含む、請求項6に記載の方法。
【請求項８】
前記方法は、前記更新されるプロセスモデルを、前記現在のプロセスランからの前記アウトカムを予測するときに適用するステップ(61a)をさらに含む、請求項7に記載の方法。
【請求項９】
前記方法は、前記更新されるプロセスモデルを、将来のプロセスランにおいて前記アウトカムを予測するときに適用するステップ(61b)をさらに含む、請求項7または8に記載の方法。
【請求項１０】
前記現在のプロセスランにおいて使用される前記プロセスは、新しいカテゴリに属すると決定され、前記プロセスランを適応させるステップは、
前記プロセスを前記新しいカテゴリに割り当てるステップと、
前記プロセスモデルを新しいプロセスモデルとして記憶するステップと
をさらに含む、請求項6に記載の方法。
【請求項１１】
少なくとも1つの選択されるパラメータの前記アウトカムを予測する前記ステップは、
前記少なくとも1つのパラメータの予想を予測するステップ(63)、ならびに/または、
異常の予想を予測するステップ(64)、ならびに/または、
前記現在のプロセスランに対する改善される条件を取得するためのアクションを決定(65)および推奨するステップ
をさらに含む、請求項1から10のいずれか一項に記載の方法。
【請求項１２】
少なくとも1つのプロセッサ上で実行されるときに、前記少なくとも1つのプロセッサに、請求項1から11のいずれか一項に記載の方法を履行させる、命令を含む、バイオリアクタにおいての試料を製造するための現在のプロセスランのアウトカムを予測するためのコンピュータプログラム。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
人工血管オルガノイドを生成する方法であって、血管分化が可能な幹細胞を提供し、前記幹細胞における中胚葉分化を刺激し、前記幹細胞における血管分化を刺激し、前記幹細胞から細胞凝集体を発生させ、前記細胞凝集体をコラーゲン３Ｄマトリックスに埋め込み、そして前記コラーゲン３Ｄマトリックスにおける前記凝集体の血管分化を刺激することを含む、上記方法。
【請求項２】
コラーゲンマトリックス内に埋め込まれた前記細胞凝集体が少なくとも３０個の細胞を含む、請求項１に記載の方法。
【請求項３】
前記中胚葉分化が、前記幹細胞を、Ｗｎｔアゴニスト又はＧＳＫ阻害剤、好ましくはＣＨＩＲ９９０２１で処理することを含む、請求項１又は２に記載の方法。
【請求項４】
前記幹細胞における血管分化が、前記幹細胞を、ＶＥＧＦ、好ましくはＶＥＧＦ−Ａ、及び／又はＦＧＦ、好ましくはＦＧＦ−２、及び／又ＢＭＰ、好ましくはＢＭＰ４、及び／又は１２％（ｖ／ｖ）以下の大気酸素の低酸素条件で処理することを含む、請求項１〜３のいずれか１項に記載の方法。
【請求項５】
前記凝集体の血管分化が、前記凝集体の細胞を、ＶＥＧＦ、好ましくはＶＥＧＦ−Ａ、及び／又はＦＧＦ、好ましくはＦＧＦ−２で処理することを含む、請求項１〜４のいずれか１項に記載の方法。
【請求項６】
前記コラーゲン３Ｄマトリックスが、少なくとも５０質量％のコラーゲンを含み、及び／又は前記コラーゲン３Ｄマトリックスが、１０％〜５０％のラミニン、２０％〜７０％のコラーゲンＩ、及び／又は２％〜３０％のコラーゲンＩＶを含み、好ましくは、さらに０．５％〜１０％のニドゲン、０．５％〜１０％のヘパラン硫酸プロテオグリカン、及び／又は０．５％〜１０％のエンタクチン（全て質量％）を含む、請求項１〜５のいずれか１項に記載の方法。
【請求項７】
前記３Ｄマトリックスが、好ましくは１０〜３０の粘弾性貯蔵弾性率Ｇ’を有するヒドロゲルである、請求項１〜６のいずれか１項に記載の方法。
【請求項８】
毛細血管が内皮及び血管周囲の周皮細胞を有する基底膜を含む、毛細血管の相互接続ネットワークを含む人工血管オルガノイド培養物。
【請求項９】
前記オルガノイドが、請求項１〜７のいずれか１項に記載の方法によって産生される、請求項８に記載の人工血管オルガノイド培養物。
【請求項１０】
前記毛細血管が、コラーゲンを有するヒドロゲルを含む人工３Ｄマトリックス内に埋め込まれている、請求項８又は９に記載の人工血管オルガノイド培養物。
【請求項１１】
前記オルガノイド培養物が、個々の血管及び毛細血管の交点間の血管を計数すると４０〜１０００個の血管を含む、請求項８、９、又は１０に記載の人工血管オルガノイド培養物。
【請求項１２】
前記毛細血管が１μｍ〜３０μｍの平均直径を有し、及び／又は内皮細胞と血管周囲の周皮細胞の比率が１００：１〜１：５であり、及び／又は前記毛細血管が成熟内皮細胞及び／又は成熟周皮細胞を含む、請求項８〜１１のいずれか１項に記載の人工血管オルガノイド培養物。
【請求項１３】
非ヒト動物モデルにヒト毛細血管を提供する方法であって、前記ヒト毛細血管が内皮と血管周囲の周皮細胞を含む基底膜とを含み、請求項８〜１２のいずれか１項に記載のヒト血管オルガノイドを非ヒト動物に導入する工程と、前記オルガノイドにその毛細血管を増殖させる工程とを含み、好ましくは、前記ヒトオルガノイドは前記非ヒト動物の腎臓上又は腎臓中に導入される、上記方法。
【請求項１４】
請求項８〜１３のいずれか１項に記載の挿入された人工血管オルガノイド培養物を含む非ヒト動物モデル、又はヒト毛細血管を有する非ヒト動物モデルであって、前記ヒト毛細血管が、内皮と血管周囲の周皮細胞を含む基底膜とを含み、好ましくは、前記人工血管オルガノイド培養物の毛細血管又は前記ヒト毛細血管が、前記非ヒト動物の血液循環系によって灌流される、上記モデル。
【請求項１５】
前記血管又は毛細血管が病因に曝され、前記オルガノイド又はヒト動物モデルが病態のモデルであり、好ましくは、病因が高血糖症及び／又は炎症を含み、及び／又は前記病態が糖尿病であり、好ましくは前記炎症が１つ以上の炎症性サイトカイン、好ましくはＴＮＦ−アルファ及び／又はＩＬ−６への曝露を含む、請求項１〜１４のいずれか１項に記載の方法又は培養物又は非ヒト動物モデル。
【請求項１６】
病因または病態に影響を及ぼす候補化合物をスクリーニングする方法であって、請求項１〜１５のいずれか１項に記載の培養物若しくは非ヒト動物モデルに、又は前記培養物若しくは非ヒト動物モデルの生成中に、前記候補化合物を投与し、候補化合物を投与していない前記培養物又は動物モデルと比較して、前記培養物又は動物モデルの生理学的差異をモニターすることを含む上記方法。
【請求項１７】
組織置換療法、特に好ましくは、前記人工血管オルガノイドを創傷内に配置し、前記人工血管オルガノイド培養物を創傷内に組み込むことを含む治療法における、インプラントとしての、請求項８〜１２のいずれか１項に記載の人工血管オルガノイドの使用。
【請求項１８】
請求項１〜７のいずれか１項に記載の人工血管オルガノイドの生成に適したキットであって、（ｉ）Ｗｎｔアゴニスト又はＧＳＫ阻害剤、（ｉｉ）ＶＥＧＦ、好ましくはＶＥＧＦ−Ａ、ＦＧＦ、好ましくはＦＧＦ−２、ＢＭＰ、好ましくはＢＭＰ４から選択される血管分化因子、（ｉｉｉ）好ましくは１０％〜５０％のラミニン、２０％〜７０％のコラーゲンＩ、及び／又は２％〜３０％のコラーゲンＩＶ（全て質量％）を含む、コラーゲン３Ｄマトリックス、を含む上記キット。
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
治療部位の生体組織に電磁エネルギーを供給する電気手術器具であって、
内部導体、外部導体及び前記外部導体から前記内部導体を分離する誘電材料を含む、同軸伝送線であって、前記同軸伝送線が、マイクロ波電磁（ＥＭ）エネルギーを伝達するように構成されている、前記同軸伝送線と、
放射先端部の周囲の場として、前記同軸伝送線から前記マイクロ波ＥＭエネルギーを受けて、前記マイクロ波ＥＭエネルギーを発するために、前記同軸伝送線の遠位端に取り付けられた前記放射先端部と、
前記放射先端部の方へ前記同軸伝送線に沿って延在する、補助伝送線であって、電気穿孔波形を有する電磁エネルギーを伝送するように構成されている、前記補助伝送線と、
前記放射先端部に取り付けられて、前記補助伝送線に電気的に接続される、微小電極アレイと
を備え
前記微小電極アレイが、前記補助伝送線から、電気穿孔波形を有する前記電磁エネルギーを受けて、前記放射先端部で、生体組織の電気穿孔のための電界を生成するように構成される、前記電気手術器具。
【請求項２】
前記放射先端部が、前記同軸伝送線の前記遠位端に取り付けた誘電体キャップを含み、
前記微小電極アレイが、前記誘電体キャップの外側表面に取り付けられる、請求項１に記載の電気手術器具。
【請求項３】
前記同軸伝送線の前記内部導体が、放射アンテナ構造を形成するために、導電性フィンガーとして前記外部導体の遠位端を越えて延在する、請求項１または２に記載の電気手術器具。
【請求項４】
電気穿孔波形を有する前記電磁エネルギーが、高周波または低周波電磁（ＥＭ）信号である、請求項１から請求項３のいずれか一項に記載の電気手術器具。
【請求項５】
前記補助伝送線がツイストペア線を含む、請求項１から請求項４のいずれか一項に記載の電気手術器具。
【請求項６】
前記同軸伝送線の前記内部導体が、長手方向に延在する通路を画定する、中空であり、
前記補助伝送線が、前記長手方向に延在する通路を通過する、請求項１から請求項５のいずれか一項に記載の電気手術器具。
【請求項７】
前記補助伝送線が、第１極の導電素子及び第２極の導電素子を備え、
前記微小電極アレイが、前記第１極の導電素子もしくは前記第２極の導電素子のうちのいずれかと電気接触する、複数の電極素子を備える、請求項１から請求項６のいずれか一項に記載の電気手術器具。
【請求項８】
前記複数の電極素子が、反対の位置に分極した、１つ以上の電極素子の対に配置される、請求項７に記載の電気手術器具。
【請求項９】
それぞれ反対の位置に分極した電極素子対の前記電極素子が、０．１〜０．５ｍｍの距離で互いに離間配置される、請求項８に記載の電気手術器具。
【請求項１０】
前記複数の電極素子のそれぞれが、前記放射先端部の表面から突出している、請求項７から９のいずれか一項に記載の電気手術器具。
【請求項１１】
前記複数の電極素子のそれぞれが、ナノスケールの導電構造である、請求項７〜１０のいずれか一項に記載の電気手術器具。
【請求項１２】
前記微小電極アレイが、前記放射先端部の周囲を巻く、１つ以上のシートに装着される、請求項１から請求項１１のいずれか一項に記載の電気手術器具。
【請求項１３】
前記放射先端部と前記同軸伝送線の間に取り付けられる、インピーダンス変成器を含む、請求項１から請求項１２のいずれか一項に記載の電気手術器具。
【請求項１４】
前記同軸伝送線及び前記補助伝送線が、可撓軸に沿って、または前記可撓軸の内部に延在する、請求項１から請求項１３のいずれか一項に記載の電気手術器具。
【請求項１５】
治療部位の生体組織に電磁エネルギーを供給するための電気手術装置であって、
マイクロ波電磁（ＥＭ）エネルギーを含む第１信号、及び電気穿孔波形を有する電磁エネルギーを含む第２信号を出力するように構成される、電気手術用ジェネレーターと、
前記電気手術用ジェネレーターに接続される、請求項１から請求項１４のいずれか一項に記載の電気手術器具と
を備え、
前記同軸伝送線が、前記第１信号を伝達するように構成され、
前記補助伝送線が、前記第２信号を伝達するように構成される、前記電気手術装置。
【請求項１６】
前記電気手術用ジェネレーターが、前記第２信号を生成するパルス生成器回路を含む、請求項１５に記載の電気手術装置。
【請求項１７】
前記パルス生成器回路が、所望の周波数で電源電圧のＯＮ／ＯＦＦを切り替えることができる、１つ以上の高速スイッチング素子を備える、請求項１６に記載の電気手術装置。
【請求項１８】
前記高速スイッチング素子が、プッシュプル構成の一対のパワーＭＯＳＦＥＴを備える、請求項１７に記載の電気手術装置。
【請求項１９】
前記パルス生成器回路が、前記補助伝送線に沿って前記微小電極アレイへ供給するための、電気穿孔波形を出力するように構成されており、前記電気穿孔波形が、
１ナノ秒〜１０ミリ秒の範囲のパルス幅、
１０Ｖ〜１０ｋＶの範囲のパルス振幅、及び
５０％以下のデューティサイクル、のうちのいずれか１つ以上を有する、請求項１６〜１８のいずれか一項に記載の電気手術装置。
【請求項２０】
外科用スコープ装置を更に備え、
前記放射先端部及び前記可撓軸が、前記外科用スコープ装置の器具チャネル内に挿入可能であるように、必要な大きさにされる、請求項１５〜１９のいずれか一項に記載の電気手術装置。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
ドリマンセスキテルペンの製造方法であって、
ａ．非環式ファルネシル二リン酸（ＦＰＰ）を、ハロ酸デハロゲナーゼ（ＨＡＤ）様ヒドロラーゼドメインを含み、かつ二官能性テルペンシンターゼ活性を有するポリペプチドと接触させて、ドリマンセスキテルペンを産生する工程であって、ここで、前記ポリペプチドが、
ｉ．配列番号５３（ＤＤｘｘ（Ｄ／Ｅ））に記載のクラスＩテルペンシンターゼ様モチーフ；および
ｉｉ．配列番号５６（ＤｘＤ（Ｔ／Ｓ）Ｔ）に記載のクラスＩＩテルペンシンターゼ様モチーフ
を含む、工程；ならびに
ｂ．任意で、前記ドリマンセスキテルペンまたは前記ドリマンセスキテルペンを含む混合物を単離する工程
を含む、方法。
【請求項２】
前記ドリマンセスキテルペンが、アルビカノールおよび／またはドリメノールを含む、請求項１記載の方法。
【請求項３】
前記二官能性テルペンシンターゼ活性を有するポリペプチドが、
ａ．配列番号１、配列番号５、配列番号９、配列番号１２、配列番号１５、配列番号１７、配列番号２０、配列番号２３、配列番号２６、配列番号２９、配列番号３２、配列番号３５、配列番号３８、配列番号４１、配列番号４４、配列番号４７、配列番号５０または配列番号６３と、少なくとも４０％、４５％、５０％、５５％、６０％、６５％、７０％、７５％、８０％、８５％、９０％、９５％、９６％、９７％、９８％または９９％の配列同一性を有するアミノ酸配；および
ｂ．配列番号５３、配列番号５４または配列番号５５に記載の配列；および
ｃ．配列番号５６、配列番号５７または配列番号５８に記載の配列
を含む、請求項１記載の方法。
【請求項４】
二官能性テルペンシンターゼ活性を有するポリペプチドをコードする核酸で宿主細胞または非ヒト宿主生物を形質転換することを含み、ここで、前記ポリペプチドが、
ａ．配列番号１、配列番号５、配列番号９、配列番号１２、配列番号１５、配列番号１７、配列番号２０、配列番号２３、配列番号２６、配列番号２９、配列番号３２、配列番号３５、配列番号３８、配列番号４１、配列番号４４、配列番号４７、配列番号５０または配列番号６３のアミノ酸配列を含むか；または
ｂ．ｉ．配列番号１、配列番号５、配列番号９、配列番号１２、配列番号１５、配列番号１７、配列番号２０、配列番号２３、配列番号２６、配列番号２９、配列番号３２、配列番号３５、配列番号３８、配列番号４１、配列番号４４、配列番号４７、配列番号５０または配列番号６３と、少なくとも４０％、４５％、５０％、５５％、６０％、６５％、７０％、７５％、８０％、８５％、９０％、９５％、９６％、９７％、９８％または９９％の配列同一性を有するアミノ酸配列；および
ｉｉ．配列番号５３、配列番号５４または配列番号５５に記載の配列；および
ｉｉｉ．配列番号５６、配列番号５７または配列番号５８に記載の配列
を含む、請求項１から３までのいずれか１項記載の方法。
【請求項５】
ＦＰＰを産生することが可能な非ヒト宿主生物または宿主細胞を培養し、形質転換して、ハロ酸デハロゲナーゼ（ＨＡＤ）様ヒドロラーゼドメインを含むポリペプチドを、前記ポリペプチドの産生を可能にする条件下で発現することをさらに含み、ここで、前記ポリペプチドは、
ａ．配列番号１、配列番号５、配列番号９、配列番号１２、配列番号１５、配列番号１７、配列番号２０、配列番号２３、配列番号２６、配列番号２９、配列番号３２、配列番号３５、配列番号３８、配列番号４１、配列番号４４、配列番号４７、配列番号５０または配列番号６３のアミノ酸配列を含むか；または
ｂ．ｉ．配列番号１、配列番号５、配列番号９、配列番号１２、配列番号１５、配列番号１７、配列番号２０、配列番号２３、配列番号２６、配列番号２９、配列番号３２、配列番号３５、配列番号３８、配列番号４１、配列番号４４、配列番号４７、配列番号５０または配列番号６３と、少なくとも４０％、４５％、５０％、５５％、６０％、６５％、７０％、７５％、８０％、８５％、９０％、９５％、９６％、９７％、９８％または９９％の配列同一性を有するアミノ酸配列；および
ｉｉ．配列番号５３、配列番号５４または配列番号５５に記載の配列；および
ｉｉｉ．配列番号５６、配列番号５７または配列番号５８に記載の配列
を含む、請求項１から４までのいずれか１項記載の方法。
【請求項６】
前記ポリペプチドが、配列番号５９、配列番号６０、配列番号６１および／または配列番号６２に記載の１つ以上の保存されたモチーフを含む、請求項３から５までのいずれか１項記載の方法。
【請求項７】
前記ドリマンセスキテルペンまたは前記ドリマンセスキテルペンを含む混合物を単離する、請求項１から６までのいずれか１項記載の方法。
【請求項８】
前記ドリマンセスキテルペンを、少なくとも１種の酵素と接触させてドリマンセスキテルペン誘導体を産生することを含む、請求項１から７までのいずれか１項記載の方法。
【請求項９】
前記ドリマンセスキテルペンを、化学合成または生化学合成を使用してドリマンセスキテルペン誘導体に変換することを含む、請求項１から８までのいずれか１項記載の方法。
【請求項１０】
前記クラスＩテルペンシンターゼ様モチーフが、配列番号５４（ＤＤ（Ｋ／Ｑ／Ｒ）（Ｌ／Ｉ／Ｔ）（Ｄ／Ｅ））を含み、前記クラスＩＩテルペンシンターゼ様モチーフが、配列番号５７（Ｄ（Ｖ／Ｍ／Ｌ）ＤＴＴ）を含み、かつ前記ドリマンセスキテルペンが、アルビカノールである、請求項１から７までのいずれか１項記載の方法。
【請求項１１】
前記ポリペプチドが、
ａ．配列番号１、配列番号５、配列番号９、配列番号１２、配列番号１５、配列番号１７、配列番号２０、配列番号２３、配列番号２６、配列番号２９または配列番号３２と、少なくとも９０％の配列同一性を有するアミノ酸配列、および
ｂ．配列番号５４（ＤＤ（Ｋ／Ｑ／Ｒ）（Ｌ／Ｉ／Ｔ）（Ｄ／Ｅ））の配列、および
ｃ．配列番号５７（Ｄ（Ｖ／Ｍ／Ｌ／Ｆ）ＤＴＴＳ）の配列
を含み、かつ
前記ドリマンセスキテルペンが、アルビカノールである、請求項１から９までのいずれか１項記載の方法。
【請求項１２】
前記ポリペプチドが、
ａ．配列番号３５、配列番号３８、配列番号４１、配列番号４４、配列番号４７、配列番号５０または配列番号６３と、少なくとも９０％の配列同一性を有するアミノ酸配列、および
ｂ．配列番号５５の配列、および
ｃ．配列番号５８の配列
を含み；かつ
前記ドリマンセスキテルペンが、ドリメノールである、請求項１から７までのいずれか１項記載の方法。
【請求項１３】
前記細胞が、原核細胞である、請求項５または６記載の方法。
【請求項１４】
前記原核細胞が、細菌細胞である、請求項１３記載の方法。
【請求項１５】
前記細菌細胞が、大腸菌である、請求項１４記載の方法。
【請求項１６】
前記細胞が、真核細胞である、請求項５または６記載の方法。
【請求項１７】
前記真核細胞が、酵母細胞または植物細胞である、請求項１６記載の方法。
【請求項１８】
前記酵母細胞が、サッカロミセス・セレビシエである、請求項１７記載の方法。
【手続補正書】
【提出日】令和3年6月14日(2021.6.14)
【手続補正１】
【補正対象書類名】特許請求の範囲
【補正対象項目名】全文
【補正方法】変更
【補正の内容】
【特許請求の範囲】
【請求項１】
真核もしくは原核（シアノバクテリア）微細藻類および／または真核もしくは原核（シアノバクテリア）微細藻類から抽出された精製水溶性化合物を含み、周囲温度で好ましくは６ヶ月を超える長い保存寿命を有し、酸性ｐＨを有し、好ましくは果汁から製造される食品飲料を得る方法であって、少なくとも、
ａ．前記抽出物および／または水溶性化合物を、熱処理に敏感な飲料の成分と混合する１つの工程であって、前記混合物が７を超えるｐＨで維持される、工程と、
ｂ．熱処理に敏感ではない飲料の成分を、酸性ｐＨを有する１または複数の成分、好ましくは果汁と混合する１つの任意工程と、
ｃ．工程ａ）で得られた混合物を精密ろ過により滅菌する１つの工程と、
ｄ．工程ｂ）で得られた混合物または酸性ｐＨを有する成分、好ましくは果汁を、精密ろ過または熱処理により滅菌する１つの工程、
ｅ．工程ｃ）およびｄ）で得られた滅菌混合物を均質化する１つの工程であって、工程ｃ）で得られた前記滅菌混合物が、工程ｄ）で得られた前記滅菌混合物の前に添加されることが好ましい、工程と、
ｆ．真核もしくは原核（シアノバクテリア）微細藻類の抽出物および／または真核もしくは原核（シアノバクテリア）微細藻類から抽出された精製水溶性化合物の抽出物を含む、長い保存寿命および酸性ｐＨを有する飲料を取得する１つの工程と、
を含む方法。
【請求項２】
前記飲料が果汁から製造され、前記酸性成分が天然果汁または濃縮果汁である、請求項１に記載の方法。
【請求項３】
前記抽出された水溶性化合物が、タンパク質およびペプチド、水溶性ビタミン、好ましくはＢ群のビタミン、ミネラル、好ましくはナトリウム、カルシウム、カリウム、マグネシウムおよび鉄、Ｃ−フィコシアニン、ならびにクロロフィルの中から選択され、好ましくはフィコシアニンである、請求項１または２に記載の方法。
【請求項４】
前記真核微細藻類が、クロレラ、ナンノクロロプシス、ドゥナリエラおよびユーグレナの中から選択され、前記シアノバクテリアが、スピルリナ（アルスロスピラ・プラテンシスまたはスピルリナ・マキシマ）およびＡＦＡ（アファニゾメノン・フロス・アクエ）の中から選択され、好ましくはスピルリナである、請求項１〜３のいずれか一項に記載の方法。
【請求項５】
前記得られた飲料を無菌条件下で充填する追加工程を含む、請求項１〜４のいずれか一項に記載の方法。
【請求項６】
前記真核もしくは原核（シアノバクテリア）微細藻類の抽出物および／または真核もしくは原核（シアノバクテリア）微細藻類から抽出された精製水溶性化合物の抽出物が、前記飲料の０．０１〜１重量％、好ましくは前記飲料の０．０１〜０．５重量％、好ましくは前記飲料の０．０１〜０．０２重量％を占める、請求項１〜５のいずれか一項に記載の方法。
【請求項７】
前記得られた飲料を暗所で２４時間〜７日間保存する工程ｇ）を更に含む、請求項１〜６のいずれか一項に記載の方法。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
ヒト食用の培養組織を生成する方法であって、該方法は、
ａ）自己再生細胞の集団を得る工程、
ｂ）自己再生細胞の集団を培養する工程、
ｃ）培養組織を形成するために自己再生細胞の集団において分化を誘導する工程、および、
ｄ）ヒト食用に培養組織を処理する工程、を含む、方法。
【請求項２】
自己再生細胞の集団において分化を誘導する工程は、集団中の細胞の、筋細胞、脂肪細胞、あるいはこれらの組み合わせへの分化転換を誘導する工程を含む、請求項１に記載の方法。
【請求項３】
培養する工程は、３次元のマイクロスキャフォールド上で自己再生細胞の集団を播種する工程を含む、請求項１に記載の方法。
【請求項４】
自己再生細胞の集団は、誘導性分化を経験するように修飾された少なくとも１つの細胞を含み、ここで、少なくとも１つの細胞は、
ａ）少なくとも１つの多能性遺伝子のオープンリーディングフレーム（ＯＲＦ）を含む第１の遺伝子構築物、および、
ｂ）少なくとも１つの多能性遺伝子を不活性化するように構成された調節因子のオープンリーディングフレーム（ＯＲＦ）を含む第２の遺伝子構築物、
を組み込むように修飾される、請求項１に記載の方法。
【請求項５】
調節因子はレコンビナーゼであり、少なくとも１つの多能性遺伝子のオープンリーディングフレーム（ＯＲＦ）は、レコンビナーゼの発現が少なくとも１つの多能性遺伝子のオープンリーディングフレーム（ＯＲＦ）の切除を触媒するように、レコンビナーゼによって認識された組換え配列と隣接している、請求項４に記載の方法。
【請求項６】
第２の遺伝子構築物は、肝細胞核因子１α（ＨＮＦ１Ａ）、フォークヘッドボックスＡ２（ＦＯＸＡ２）、および肝細胞核因子４α（ＨＮＦ４Ａ）から選択された少なくとも１つの肝細胞分化因子のＯＲＦを含む、請求項４に記載の方法。
【請求項７】
第２の遺伝子構築物は、ミオゲニン（ＭｙｏＧ）、筋原性分化１（ＭｙｏＤ）、筋原性因子６（ＭＲＦ４）、および筋原性因子５（ＭＹＦ５）から選択された少なくとも１つの筋原性因子を含むか、
または、
脂肪酸結合タンパク質４（ＦＡＢＰ４）、インスリン反応性ブドウ糖輸送担体４型（ＧＬＵＴ４）、アディポネクチン、Ｃ１Ｑおよびコラーゲンドメイン含有（ＡＤＩＰＯＱ）、１−アシルグリセロール−３−リン酸塩Ｏ−アシルトランスフェラーゼ２（ＡＧＰＡＴ２）、ペリリピン１（ＰＬＩＮ１）、レプチン（ＬＥＰ）、およびリポプロテインリパーゼ（ＬＰＬ）から選択された少なくとも１つの脂肪生成因子を含む、請求項４に記載の方法。
【請求項８】
第２の遺伝子構築物は、
ａ）少なくとも１つの分化遺伝子のオープンリーディングフレーム（ＯＲＦ）と、
ｂ）
ｉ．少なくとも１つの分化遺伝子のオープンリーディングフレーム（ＯＲＦ）、および、
ｉｉ．調節因子のオープンリーディングフレーム（ＯＲＦ）
の発現を制御する誘導性プロモーターと、
をさらに含む、請求項４に記載の方法。
【請求項９】
分化を誘導する工程は、少なくとも１つの細胞系統遺伝子のＯＲＦおよび調節因子のＯＲＦの発現を誘導するために少なくとも１つの細胞を誘導剤に晒す工程を含む、請求項８に記載の方法。
【請求項１０】
分化を誘導する工程は、自己再生細胞の集団内で筋管を生成する工程を含む、請求項１に記載の方法。
【請求項１１】
自己再生細胞の集団は、工程ｃ）の間に筋細胞と脂肪細胞に分化するように誘導される分化多能性細胞を含む、請求項１に記載の方法。
【請求項１２】
分化を誘導する工程は、自己再生細胞の集団内で肝細胞を生成する工程を含む、請求項１に記載の方法。
【請求項１３】
肝細胞の少なくとも１つ内で脂肪症を誘導する工程をさらに含む、請求項１２に記載の方法。
【請求項１４】
自己再生細胞の集団は、誘導剤での処置時に脂肪症を増強するために少なくとも１つの遺伝子を発現するように修飾された少なくとも１つの細胞を含む、請求項１３に記載の方法。
【請求項１５】
少なくとも１つの細胞は、ＡＴＦ４、ＺＦＰ４２３、ＬＰＩＮ１、ＰＰＡＲ、ＡＰＯＣ３、ＡＰＯＥ、ＯＲＬ１、ＰＥＭＴ、ＭＴＴＰ、ＳＲＥＢＰ、ＳＴＡＴ３、又はＫＬＦ６をコードするオープンリーディングフレーム（ＯＲＦ）を含む構築物を用いて安定的に形質転換される、請求項１４に記載の方法。
【請求項１６】
脂肪症を誘導する工程は、少なくとも栄養剤を含む培地中で肝細胞をインキュベートする工程を含む、請求項１５に記載の方法。
【請求項１７】
培養組織は、魚の筋組織、タコの筋細胞、ヤリイカの筋細胞、コウイカの筋細胞、あるいは鳥類に由来する細胞を含む、請求項８に記載の方法。
【請求項１８】
細胞の集団は無血清培地製剤を使用して培養される、請求項１に記載の方法。
【請求項１９】
高脂質含有量を有し、かつ、ヒト食用に処理された、組織培養肝細胞を含む、調理用フォアグラ組成物。
【請求項２０】
サケの幼魚から単離した、培養された脂肪細胞および筋細胞を含む、寿司に使用できる品質等級のサケ組成物。
【手続補正書】
【提出日】令和3年5月17日(2021.5.17)
【手続補正１】
【補正対象書類名】特許請求の範囲
【補正対象項目名】全文
【補正方法】変更
【補正の内容】
【特許請求の範囲】
【請求項１】
多能性幹細胞（PSC）から生物工学的に作製された神経オルガノイド（BENO）を生産する方法であって：
（A）PSCを培養し、無血清の細胞培養培地に浸漬したマトリックスに埋め込む工程；
（B）Rho関連キナーゼ阻害剤（ROCKi）およびFGF−2を含む細胞培養培地で工程（A）の前記マトリックス内の前記PSCを培養する工程；
（C）レチノイン酸およびSMADシグナル伝達の1つ以上の阻害剤を含む細胞培養培地で工程（B）のPSCとマトリックスに由来する形成中のBENOを培養して、神経発生を誘導する工程；
（D）TGF−βおよびFGF−2を含む細胞培養培地で工程（C）の前記形成中のBENOを培養して、間質細胞の発生および神経発生を促進する工程；
（E）TGF−βおよびノッチシグナル伝達の1つ以上の阻害剤を含む細胞培養培地で工程（D）の前記形成中のBENOを培養して、間質細胞の発生および神経分化を促進する工程
を含み、前記マトリックスがコラーゲンを含む、方法。
【請求項２】
前記マトリックスがマトリゲルを含まない、請求項１に記載の方法。
【請求項３】
前記マトリックスが、マトリゲルまたは定義されていない組成物を有する天然起源の他の成分を含まない、請求項1に記載の方法。
【請求項４】
前記マトリックスが、I型コラーゲンを含む、請求項１〜３いずれかに記載の方法。
【請求項５】
前記BENOが3D環境内で生産され、好ましくは前記3D環境が前記マトリックスによって定義される、請求項１〜４いずれかに記載の方法。
【請求項６】
前記間質細胞がグリア細胞を含む、請求項１〜５いずれかに記載の方法。
【請求項７】
工程（D）の前記培地が少なくとも2つのSMADシグナル伝達の阻害剤を含み、好ましくは前記SMADシグナル伝達の阻害剤がノギンおよびSB 431542を含む、請求項１〜６いずれかに記載の方法。
【請求項８】
工程Fの前記ノッチシグナル伝達の阻害剤がDAPTである、請求項１〜７いずれかに記載の方法。
【請求項９】
前記PSCがヒトPSCである、請求項１〜８いずれかに記載の方法。
【請求項１０】
工程（A）および工程（B）が−1日目に実施され、
工程（C）が−1日目から0日目まで実施され、
工程（D）が0日目から10日目まで実施され、
工程（E）が10日目から15日目まで実施され、
工程（F）が15日目から少なくとも28日目まで実施される、
請求項１〜９いずれかに記載の方法。
【請求項１１】
神経オルガノイドであって、その神経細胞が機能的神経ネットワークで組織化されていることを特徴とし、前記神経ネットワークがニューロンの同期化を特徴とする、神経オルガノイド。
【請求項１２】
請求項１〜１１いずれかに記載の方法によって生産される生物工学的に作製された神経オルガノイド（BENO）であって、前記BENOの神経細胞が機能的神経ネットワークで組織化されていることを特徴とし、前記神経ネットワークがニューロンの同期化を特徴とする、神経オルガノイド。
【請求項１３】
疾患および/または薬剤スクリーニングのモデルとしての請求項１１または１２に記載のBENOの使用。
【請求項１４】
前記BENOが別の組織工学プラットフォームと共培養される、請求項１３に記載の使用。
【請求項１５】
請求項１〜９いずれかに記載の方法を実施するためのキット。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
高周波アブレーションプローブのアクティブ電極を外囲する組織の体積領域への高周波アブレーションエネルギーの送達中に、前記組織の体積領域に半径方向の圧縮を提供するためのデバイスであって、
前記デバイスはラップを備え、
補剛要素が前記ラップの開口を取り囲み、前記補剛要素は前記組織の体積領域に半径方向の圧縮を伝達し、前記半径方向の圧縮によって前記組織の体積領域の安定性が高められることを特徴とするデバイス。
【請求項２】
請求項１に記載のデバイスであって、
前記ラップは弾性材料を含むことを特徴とするデバイス。
【請求項３】
請求項１または２に記載のデバイスであって、
前記開口によって、前記組織の体積領域への前記高周波アブレーションプローブの前記アクティブ電極の挿入が容易化されることを特徴とするデバイス。
【請求項４】
請求項１〜３のいずれか一項に記載のデバイスであって、
前記組織の体積領域に半径方向の圧縮の伝達により、前記組織の体積領域と前記高周波アブレーションプローブの前記アクティブ電極との接触が向上することを特徴とするデバイス。
【請求項５】
請求項１〜４のいずれか一項に記載のデバイスであって、
前記ラップにより、前記組織の体積領域の固定化が容易化され、前記ラップは、約２０．３２ｃｍ（約８インチ）〜約１０１．３ｃｍ（４０インチ）の範囲の膝の直径に対応するように調整可能であることを特徴とするデバイス。
【請求項６】
請求項５に記載のデバイスであって、
前記組織の体積領域は患者の膝に位置し、前記患者の膝の屈曲は約７０度〜約１８０度の範囲の角度に維持されることを特徴とするデバイス。
【請求項７】
請求項１〜６のいずれか一項に記載のデバイスであって、
前記ラップは固定手段を含むことを特徴とするデバイス。
【請求項８】
請求項７に記載のデバイスであって、
前記固定手段は、フック−ループ式面ファスナ、圧縮ストラップ、テープ、ボタン、スナップ式ファスナ、またはそれらの組み合わせを含むことを特徴とするデバイス。
【請求項９】
請求項１〜８のいずれか一項に記載のデバイスであって、
前記補剛要素の少なくとも一部は放射線不透過性材料を含むことを特徴とするデバイス。
【請求項１０】
組織の体積領域に対して高周波アブレーションエネルギーを送達するためのシステムであって、
ラップであって、補剛要素が前記ラップの開口を取り囲み、前記補剛要素が前記組織の体積に半径方向の圧縮を伝達し、前記半径方向の圧縮によって前記組織の体積領域の安定性が高められる、該ラップと、
アクティブ電極を有する高周波アブレーションプローブであって、リード線を介して高周波発生器に接続された、該高周波アブレーションプローブとを備えることを特徴とするシステム。
【請求項１１】
請求項１０に記載のシステムであって、
前記ラップは、弾性材料及び固定手段を含むことを特徴とするシステム。
【請求項１２】
請求項１０または１１に記載のシステムであって、
前記開口によって、前記組織の体積領域への前記高周波アブレーションプローブの前記アクティブ電極の挿入が容易化され、かつ前記補剛要素の少なくとも一部は放射線不透過性材料を含むことを特徴とするシステム。
【請求項１３】
請求項１０〜１２のいずれか一項に記載のシステムであって、
前記組織の体積領域に半径方向の圧縮の伝達により、前記組織の体積領域と前記高周波アブレーションプローブの前記アクティブ電極との接触が向上することを特徴とするシステム。
【請求項１４】
請求項１０〜１３のいずれか一項に記載のシステムであって、
前記ラップにより、前記組織の体積領域の固定化が容易化され、前記ラップは、約２０．３２ｃｍ（約８インチ）〜約１０１．３ｃｍ（４０インチ）の範囲の膝の直径に対応するように調整可能であることを特徴とするシステム。
【請求項１５】
請求項１４に記載のシステムであって、
前記組織の体積領域は患者の膝に位置し、前記患者の膝の屈曲は約７０度〜約１８０度の範囲の角度に維持されることを特徴とするシステム。
【請求項１６】
請求項１０〜１５のいずれか一項に記載のシステムであって、
前記高周波アブレーションプローブは、前記アクティブ電極に隣接する放射線不透過性マーカーを含むことを特徴とするシステム。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
乳房から母乳を搾り出すための母乳ポンプシステムとともに使用するための母乳ポンプユニットであって、前記母乳ポンプシステムは母乳容器を備え、前記母乳ポンプユニットは、
前部および後部を有する本体と、
前部本体の前部と関連付けられ、乳房の少なくとも一部を受容するように構成される近位部と、前部本体の後部と関連付けられる遠位部と、漏斗の少なくとも下部で延びる柔軟な部分とを有する漏斗であって、前記漏斗の内部に負圧を生起させるように、前記漏斗は、真空ユニットと協働するように構成され、それにより、乳房が少なくとも部分的に前記近位部の内部に受容されるときに、乳房から前記漏斗へと母乳は抽出されることができ、搾り出された母乳を前記漏斗から前記母乳容器へと送給するように、前記遠位部は、前記母乳容器に流体接続されるように構成される、漏斗と、
前記柔軟な部分と位置合わせして配置されて、前記柔軟な部分を操作するために構成される操作機構と、
を備える、母乳ポンプユニット。
【請求項２】
前部本体は、前記操作機構の上に配置される口蓋模倣部材をさらに備える、請求項１に記載の母乳ポンプユニット。
【請求項３】
前記操作機構は、
前記柔軟な部分に対して押されるように構成される少なくとも１つのローラーセグメントと、
前記少なくとも１つのローラーセグメントを回転させるように構成されるモータと、
前記ローラーセグメントを保持するように構成されるアームと、
を備え、
前記モータは、前記ローラーセグメントと一緒に前記アームを回転させるように構成される、
請求項１に記載の母乳ポンプユニット。
【請求項４】
前記柔軟な部分の下で、前記操作機構の少なくとも一部を移動させるように構成される調整機構をさらに備える、請求項１に記載の母乳ポンプユニット。
【請求項５】
前記操作機構は、少なくとも前記漏斗の前記柔軟な部分を横切る方向において、前記操作機構と一緒に、前部本体に関して移動するように構成される可動ベース上に配置される、請求項１に記載の母乳ポンプユニット。
【請求項６】
前記可動ベースは、前記漏斗の前記柔軟な部分を横切る方向において移動するように構成される、請求項５に記載の母乳ポンプユニット。
【請求項７】
前記柔軟な部分は、その周囲に比べてより柔軟である、請求項１に記載の母乳ポンプユニット。
【請求項８】
前記操作機構は、少なくとも前記本体の前部から後部に延びる方向において、前記漏斗の前記柔軟な部分を押すためにさらに構成される、請求項１に記載の母乳ポンプユニット。
【請求項９】
前記操作機構は、前記漏斗の前記柔軟な部分を波状の動きで押すために構成される、請求項８に記載の母乳ポンプシステム。
【請求項１０】
前記操作機構により前記漏斗の前記柔軟な部分が押されている間、前記柔軟な部分は、前記漏斗の前記柔軟な部分が前記漏斗の対向する上部から非係合のままであり、両者間に隙間を形成する、最上位位置を有する、請求項１に記載の母乳ポンプユニット。
【請求項１１】
前記漏斗は、その前記遠位部を介して前記真空ユニットと協働するように構成される、請求項１に記載の母乳ポンプユニット。
【請求項１２】
前記漏斗の前記柔軟な部分と前記母乳容器との間を流体接続するように構成される接続要素をさらに備える、請求項１に記載の母乳ポンプユニット。
【請求項１３】
前記漏斗の前記遠位部は、可変の負圧を前記漏斗に周期的に伝えるように構成され、前記操作機構は、前記可変の負圧の周期と同期した周期的に前記柔軟な部分を押すように構成される、請求項１に記載の母乳ポンプユニット。
【請求項１４】
前記真空ユニットをさらに備える、請求項１に記載の母乳ポンプシステム。
【請求項１５】
前記真空ユニットは、可変の負圧を周期的に生成するように構成され、前記操作機構は、前記可変の負圧の周期と同期した周期的に前記柔軟な部分を押すように構成される、請求項１３に記載の母乳ポンプシステム。
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
超音波画像において軸外クラッターフィルタ処理を実施する方法であって、前記方法は、
イメージング点の集合を規定する超音波プローブからチャンネルデータを取得するステップであって、前記超音波プローブが、トランスデューサー要素のアレイを備える、取得するステップと、
関心領域内における各イメージング点に対して、
前記イメージング点に関係した前記チャンネルデータを分離するステップと、
分離された前記チャンネルデータの１つ又は複数の空間周波数成分を特定するように、前記分離されたチャンネルデータの空間スペクトル推定を実施するステップと、
前記空間スペクトル推定に基づいて減弱係数により、前記分離されたチャンネルデータの前記１つ又は複数の空間周波数成分を選択的に減弱させるステップにより、フィルタ処理されたチャンネルデータを生成することと、
前記イメージング点の集合の各前記イメージング点に関係した前記フィルタ処理されたチャンネルデータを加算するステップにより、フィルタ処理された超音波画像を生成することと、
を有する、方法。
【請求項２】
前記チャンネルデータの分離は、前記イメージング点の複数の観測結果を処理することを有する、請求項１に記載の方法。
【請求項３】
前記空間スペクトル推定は、前記チャンネルデータを複素指数関数の有限個の和に分解することを有する、請求項１又は２に記載の方法。
【請求項４】
前記複素指数関数は、
第１のモデルパラメータと
第２のモデルパラメータとを含む、請求項３に記載の方法。
【請求項５】
前記第１のモデルパラメータは、複素数である、請求項４に記載の方法。
【請求項６】
前記第２のモデルパラメータは、前記超音波プローブの隣接するトランスデューサー要素間の距離に逆比例する、請求項４又は５に記載の方法。
【請求項７】
前記第１のモデルパラメータ及び前記第２のモデルパラメータは、前記空間スペクトル推定により推定される、請求項４から６の何れか一項に記載の方法。
【請求項８】
前記減弱係数は、ガウシアンである、請求項１から７の何れか一項に記載の方法。
【請求項９】
前記減弱係数は深さに依存する、請求項１から８の何れか一項に記載の方法。
【請求項１０】
前記減弱係数は、前記第２のモデルパラメータに依存する、請求項４から９の何れか一項に記載の方法。
【請求項１１】
前記減弱係数は受信ビームパターンの幅の半分に前記チャンネルデータを減弱させる、請求項１から１０の何れか一項に記載の方法。
【請求項１２】
前記空間スペクトル推定は、自己回帰モデルに基づく、請求項１から１１の何れか一項に記載の方法。
【請求項１３】
コンピュータにおいて動作させられるとき、請求項１から１２の何れか一項に記載の方法を実施するように適応されたコンピュータプログラムコード手段を含む、コンピュータプログラム。
【請求項１４】
超音波画像において軸外クラッターのフィルタ処理を制御するための制御装置であって、前記制御装置が、
イメージング点の集合を規定する超音波プローブからチャンネルデータを取得することと、
関心領域内における各イメージング点に対して、
イメージング点に関係した前記チャンネルデータを分離することと、
分離された前記チャンネルデータの１つ又は複数の空間周波数成分を特定するように、前記分離されたチャンネルデータの空間スペクトル推定を実施することと、
前記空間スペクトル推定に基づいて減弱係数により、前記分離されたチャンネルデータの前記１つ又は複数の空間周波数成分を選択的に減弱させることにより、フィルタ処理されたチャンネルデータを生成することと、
前記イメージング点の集合の各前記イメージング点に関係した前記フィルタ処理されたチャンネルデータを加算することにより、フィルタ処理された超音波画像を生成することと、
をする、制御装置。
【請求項１５】
超音波システムであって、前記超音波システムは、
トランスデューサー要素のアレイを備える超音波プローブと、
請求項１４に記載の制御装置と、
フィルタ処理された超音波画像を表示するためのディスプレイデバイスと、
を備える、超音波システム。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
超音波画像を生成する方法であって、前記方法は、
超音波プローブを使用して、複数の操縦角から形成されるビーム加算されたデータを取得するステップと、
前記ビーム加算されたデータの各操縦角に対して、前記ビーム加算されたデータの軸方向イメージング深さに基づいて、前記ビーム加算されたデータをセグメント分けするステップと、
セグメント分けされたビーム加算されたデータの各セグメントに対して、
前記セグメント分けされたビーム加算されたデータに基づいてフィルタ次数をもつ外挿フィルタを推定するステップと、
前記外挿フィルタに基づいて、前記セグメント分けされたビーム加算されたデータを、外挿乗数を使用して外挿することにより、外挿されたビーム加算されたデータを生成するステップと、
すべてのセグメントにわたる前記外挿されたビーム加算されたデータをコヒーレントにコンパウンディングすることにより、前記超音波画像を生成するステップと、
を有する、方法。
【請求項２】
前記ビーム加算されたデータの各軸方向セグメントに対して、前記ビーム加算されたデータの当該軸方向セグメントにフーリエ変換を適用するステップと、
前記外挿されたビーム加算されたデータに逆フーリエ変換を実施するステップと、
をさらに有する、請求項１に記載の方法。
【請求項３】
前記ビーム加算されたデータは、平面波イメージングと分散波イメージングとのうちの少なくとも１つにより取得される、請求項１又は２に記載の方法。
【請求項４】
前記軸方向セグメントは、深さにおいて前記ビーム加算されたデータを提供する送信信号の４波長未満、例えば深さにおいて２波長以下である、請求項１から３の何れか一項に記載の方法。
【請求項５】
前記複数の操縦角は、２０個未満の角度、例えば１０個以下の角度を含む、請求項１から４の何れか一項に記載の方法。
【請求項６】
前記フィルタ次数は、操縦角の数の半分以下である、請求項１から５の何れか一項に記載の方法。
【請求項７】
前記外挿乗数は、１０以下、例えば８以下である、請求項１から６の何れか一項に記載の方法。
【請求項８】
前記外挿フィルタの推定は、自己回帰モデルを使用して実施される、請求項１から７の何れか一項に記載の方法。
【請求項９】
前記外挿フィルタの推定は、Ｂｕｒｇ技術を使用して実施される、請求項１から８の何れか一項に記載の方法。
【請求項１０】
外挿は前記ビーム加算されたデータの軸方向に発生する、請求項１から９の何れか一項に記載の方法。
【請求項１１】
コンピュータにおいて動作させられるとき、請求項１から１０の何れか一項に記載の方法を実施するように適応されたコンピュータプログラムコード手段を含む、コンピュータプログラム。
【請求項１２】
超音波画像の生成を制御するための制御装置であって、前記制御装置が、
超音波プローブにより複数の操縦角から形成されるビーム加算されたデータを取得することと、
前記ビーム加算されたデータの各操縦角に対して、前記ビーム加算されたデータの軸方向深さに基づいて前記ビーム加算されたデータをセグメント分けすることと、
セグメント分けされたビーム加算されたデータの各セグメントに対して、
前記セグメント分けされたビーム加算されたデータに基づいてフィルタ次数をもつ外挿フィルタを推定することと、
前記外挿フィルタに基づいて、前記セグメント分けされたビーム加算されたデータを、外挿乗数を使用して外挿することにより、外挿されたビーム加算されたデータを生成することと、
すべてのセグメントにわたる前記外挿されたビーム加算されたデータをコヒーレントにコンパウンディングすることにより、前記超音波画像を生成する、制御装置。
【請求項１３】
超音波プローブと、
請求項１２に記載の制御装置と、
高コントラスト超音波画像を表示するためのディスプレイデバイスと、
を備える、超音波システム。
【請求項１４】
ユーザー入力を含むユーザーインターフェースをさらに備える、請求項１３に記載の超音波システム。
【請求項１５】
前記ユーザー入力は、軸方向セグメントの軸方向深さと外挿乗数とフィルタ次数とのうちの少なくとも１つを調節する、請求項１４に記載の超音波システム。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
ポリマー吸着剤にアルデヒドを吸着させる方法であって、
ａ）カルボン酸基を有する、加水分解ジビニルベンゼン／無水マレイン酸ポリマー材料と、
ｂ）式−ＮＨＲのアミノ基を少なくとも２つ有する窒素含有化合物［式中、Ｒは、水素又はアルキルである］と、
の反応生成物を含み、前記窒素含有化合物は、イオン結合により前記加水分解ジビニルベンゼン／無水マレイン酸ポリマー材料に付着しているポリマー吸着剤を用意することと、
前記ポリマー吸着剤に前記アルデヒドを吸着させることと、
を含み、
前記アルデヒドは、式（Ｉ）
Ｒ２−（ＣＯ）−Ｈ
（Ｉ）
［式中、Ｒ２は、水素、アルキル、ビニル、又はアリールである］のものであり、前記式（Ｉ）のアルデヒドの分子量は２００ｇ／モル以下である、方法。
【請求項２】
前記ポリマー吸着剤が酸塩基染料を含み、前記酸塩基染料は、前記ポリマー吸着剤の前記アルデヒド吸着容量が限度に達するか又は限度に近い場合に変色する、請求項１に記載の方法。
【請求項３】
（ａ）ポリマー吸着剤であって、
カルボン酸基を有する、加水分解ジビニルベンゼン／無水マレイン酸ポリマー材料と、
式−ＮＨＲのアミノ基を少なくとも２つ有する窒素含有化合物［式中、Ｒは、水素又はアルキルである］と、
の反応生成物を含み、前記窒素含有化合物は、イオン結合により前記加水分解ジビニルベンゼン／無水マレイン酸ポリマー材料に付着しているポリマー吸着剤と、
（ｂ）前記ポリマー吸着剤に吸着された、式（Ｉ）
Ｒ２−（ＣＯ）−Ｈ
（Ｉ）
［式中、Ｒ２は、水素、アルキル、ビニル、又はアリールである］のアルデヒドと、
を含み、前記式（Ｉ）のアルデヒドの分子量は２００ｇ／ｍｏｌ以下である、組成物。
【請求項４】
前記加水分解ジビニルベンゼン／無水マレイン酸ポリマー材料が、ジビニルベンゼン／無水マレイン酸前駆体材料の加水分解生成物であり、前記ジビニルベンゼン／無水マレイン酸前駆体材料は、
１）重合性組成物中のモノマーの総重量に基づいて８〜６５重量％の無水マレイン酸と、
２）重合性組成物中のモノマーの総重量に基づいて３０〜８５重量％のジビニルベンゼンと、
３）重合性組成物中のモノマーの総重量に基づいて０〜４０重量％のスチレン型モノマーであって、スチレン、アルキル置換スチレン、又はこれらの組み合わせである、スチレン型モノマーと、
を含む重合性組成物から形成される、請求項３に記載の組成物。
【請求項５】
前記窒素含有化合物が、式（Ｖ）
Ｒ４ＮＨＲ１
（Ｖ）
［式中、
Ｒ１は、水素又はアルキルであり、
Ｒ４は、式−Ｒ５−ＮＨＲ６、又は−（Ｃ＝ＮＨ）−ＮＨ２の基であり、
Ｒ５は、アルキレン、（ヘテロ）アリーレン、（ヘテロ）アラルキレン、１つ以上のオキシ（−Ｏ−）基を有するヘテロアルキレン、又は１つ以上の−ＮＨ−基を有するヘテロアルキレンであり、前記（ヘテロ）アリーレン及び（ヘテロ）アラルキレンは、一級アミノ基及び／又は二級アミノ基で任意に置換されており、
Ｒ６は、水素、アルキル、又は−（Ｃ＝ＮＨ）−ＮＨ２である］
のものである、請求項３に記載の組成物。
【請求項６】
前記窒素含有化合物が、式（ＶＩ）
Ｒ７−（ＮＨＲ１）ｚ
（ＶＩ）
［式中、
Ｒ１は、水素又はアルキルであり、
Ｒ７は、アルカンのｚ価基又はヘテロアルカンのｚ価基であり、
ｚは、３〜１０の範囲の整数である］
のものである、請求項３に記載の組成物。
【請求項７】
前記窒素含有化合物が、２０００ダルトン以下の分子量を有する、請求項３に記載の組成物。
【請求項８】
酸塩基染料を更に含む、請求項５に記載の組成物。
【請求項９】
複合顆粒にアルデヒドを吸着させる方法であって、
（ａ）ポリマー吸着剤であって、
カルボン酸基を有する、加水分解ジビニルベンゼン／無水マレイン酸ポリマー材料と、
式−ＮＨＲのアミノ基を少なくとも２つ有する窒素含有化合物［式中、Ｒは、水素又はアルキルである］と、
の反応生成物を含み、前記窒素含有化合物は、イオン結合により前記加水分解ジビニルベンゼン／無水マレイン酸ポリマー材料に付着しているポリマー吸着剤と、
（ｂ）バインダーと、
を含む複合顆粒を提供することと、
前記ポリマー吸着剤に前記アルデヒドを吸着させることと、
を含み、
前記アルデヒドは、式（Ｉ）
Ｒ２−（ＣＯ）−Ｈ
（Ｉ）
［式中、Ｒ２は、水素、アルキル、ビニル、又はアリールである］のものであり、前記式（Ｉ）のアルデヒドの分子量は２００ｇ／ｍｏｌ以下である、方法。